(57)【特許請求の範囲】
【請求項１】
仰向けに横たわった被施術者の後頭部の右下側、左下側、右上側、左上側にそれぞれ配置されると共に、前記被施術者の頭部を支持するように設けられた４つの支持帯と、
４つの前記支持帯のうち少なくとも２つを連結すると共に、前記被施術者の前記後頭部に接するように設けられた１つまたは複数の連結帯と、
４つの前記支持帯の端部にそれぞれ接続された第１の弾性体、第２の弾性体、第３の弾性体及び第４の弾性体とを有し、
４つの前記弾性体が前記被施術者の前記頭部と頸部の一部又は全部との重量を支持可能であり、
前記被施術者の前記後頭部の右下側の前記支持帯と前記被施術者の前記後頭部の左下側の前記支持帯とは、前記被施術者の前記後頭部の下部の下方において連続した一体の第１の連続支持帯としてなされ、
前記被施術者の前記後頭部の右上側の前記支持帯と前記被施術者の前記後頭部の左上側の前記支持帯とは、前記被施術者の前記後頭部の下部の下方において連続した一体の第２の連続支持帯としてなされ、
前記連結帯は、前記第１の連続支持帯と前記第２の連続支持帯とを連結し、前記第１の連続支持帯を貫通させた第１の筒状部と、前記第２の連続支持帯を貫通させた第２の筒状部とを備え
前記第１の弾性体は、前記第１の連続支持帯の右端部に接続され、
前記第２の弾性体は、前記第１の連続支持帯の左端部に接続され、
前記第３の弾性体は、前記第２の連続支持帯の右端部に接続され、
前記第４の弾性体は、前記第２の連続支持帯の左端部に接続されていることを特徴とする施術用頭部支持装置。
【請求項２】
さらに、前記第１の連続支持帯の右端部と前記第１の弾性体との間に介在するように設けられた第１の接続具と、
前記第１の連続支持帯の左端部と前記第２の弾性体との間に介在するように設けられた第２の接続具と、
前記第２の連続支持帯の右端部と前記第３の弾性体との間に介在するように設けられた第３の接続具と、
前記第２の連続支持帯の左端部と前記第４の弾性体との間に介在するように設けられた第４の接続具とを有し、
前記第１の接続具、前記第２の接続具、前記第３の接続具及び前記第４の接続具は、前記第１の弾性体、前記第２の弾性体、前記第３の弾性体及び第４の弾性体に対してそれぞれ着脱可能になされていることを特徴とする請求項１に記載の施術用頭部支持装置。
【請求項３】
さらに、前記被施術者の前記頭部の上方に、かつ、前記被施術者の前記頭部の左右方向に延在するように設けられた架設材と、
前記架設材に取り付けられると共に、前記第１の弾性体が接続された第１の腕木と、
前記架設材に取り付けられると共に、前記第２の弾性体が接続された第２の腕木と、
前記架設材に取り付けられると共に、前記第３の弾性体が接続された第３の腕木と、
前記架設材に取り付けられると共に、前記第４の弾性体が接続された第４の腕木とを有することを特徴とする請求項１又は請求項２に記載の施術用頭部支持装置。
【請求項４】
さらに、前記架設材の右端部を支持すると共に、昇降可能に設けられた第１の昇降支柱と、
前記架設材の左端部を支持すると共に、前記第１の昇降支柱と同時に昇降可能に設けられた第２の昇降支柱とを有することを特徴とする請求項３に記載の施術用頭部支持装置。
【発明の詳細な説明】
【技術分野】
【０００１】
本発明は、施術用頭部支持装置に関し、特に被施術者の頭部を安定的に支持することによって、被施術者が頭部を支える筋肉を十分に弛緩させることができる構造を有する施術用頭部支持装置に関する。
【背景技術】
【０００２】
カイロプラクティックや、整体、マッサージなど手技による施術で頸椎の歪みや、頸部の筋肉の拘縮を和らげるときには、施術前又は施術途中において被施術者の頭部を支える筋肉が十分に弛緩していると効果が増すことが知られている。そこで、被施術者が横たわったときに頭部を安定的に保ってリラックスすることができ、頭部を支える筋肉が十分に弛緩するような枕又は枕と同様の機能を持つ施術用頭部支持装置が考えられている。
【０００３】
ここで、特開２００６−２４５公報で開示された上半身受け用クッションマットの例を示す。図１３は、従来技術に係る枕としての機能を持つクッションマットを示す図であり、（Ａ）は斜視図、（Ｂ）は側面図である。図１３において、９０は上半身受け用クッションマット、９１は中肉部、９２は厚肉部、９３は薄肉部、９４は溝、９５は厚み調整用クッション材、９６は厚み調整用クッション材、９７は厚み調整用クッション材、９８は被施術者、９９は頭部を示す。
【０００４】
図１３（Ａ）に示すように、上半身受け用クッションマット９０は、低反発弾性ポリウレタンフォームからなるもので、厚みが中程度である中肉部９１と、厚みが厚い厚肉部９２と、厚みが薄い薄肉部９３を長手方向に沿って順に形成し、これらの上面を滑らかな湾曲線で結んで流線形にしている。さらに、中肉部９１及び厚肉部９２の上面に、幅方向に延在する複数の溝９４を形成し、くわえて、中肉部９１及び厚肉部９２の下面に、厚み調整用クッション材９５、９６及び９７を嵌合している。この構造によって、図１３（Ｂ）に示すように、被施術者９８の頭部９９を含む上半身を優しく包み込むように、体圧が分散するように支持するようにしている。
【０００５】
しかし、人間の頭部の形状、大きさ又は重さ、さらに首の太さや長さは、一人一人異なっているので、中肉部９１及び厚肉部９２の上面の形状がすべての被施術者にとって快適なものであるとは言えない。また、被施術者は、頸部の筋肉が拘縮するなどの特別な状態にあるので、仰向きに横たわった状態において視線が真っ直ぐ上方を向くようにしたときにリラックスできるとは限らない。つまり、頸椎又は筋肉の状態や、被施術者の姿勢のくせによっては、顔を左右いずれかに傾ける、あごを引く又は突き出すなどする方がリラックスできる場合もある。このような通常と異なる姿勢までを考慮して枕又はこれと同様の機能を持つものを設計することは困難である。そこで、施術者によっては、被施術者の頸部等に手で強い力を加えて被施術者の頸部等の筋肉をいったん緊張させ、その後頸部等を柔らかに施術することによって、頸部等の筋肉が非常にリラックスしたように被施術者を錯覚させるテクニックを使う場合がある。しかし、このテクニックは、身体への何らの悪影響をもたらす場合もあり、好ましいものではない。
【先行技術文献】
【特許文献】
【０００６】
【特許文献１】特開２００６−２４５公報
【発明の概要】
【発明が解決しようとする課題】
【０００７】
本発明は、上記課題を解決するために、被施術者が横たわったときに頭部を安定的に保ってリラックスすることができ、頭部を支える筋肉が十分に弛緩し得る施術用頭部支持装置を提供することを目的とする。
【課題を解決するための手段】
【０００８】
請求項１に記載の発明は、仰向けに横たわった被施術者の後頭部の右下側、左下側、右上側、左上側にそれぞれ配置されると共に、前記被施術者の頭部を支持するように設けられた４つの支持帯と、４つの前記支持帯のうち少なくとも２つを連結すると共に、前記被施術者の前記後頭部に接するように設けられた１つまたは複数の連結帯と、４つの前記支持帯の端部にそれぞれ接続された第１の弾性体、第２の弾性体、第３の弾性体及び第４の弾性体とを有し、４つの前記弾性体が前記被施術者の前記頭部と頸部の一部又は全部との重量を支持可能であることを特徴とする施術用頭部支持装置である。
【０００９】
請求項２に記載の発明は、請求項１に記載の発明において、前記被施術者の前記後頭部の右下側の前記支持帯と前記被施術者の前記後頭部の左下側の前記支持帯とは、前記被施術者の前記後頭部下部の下方において連続した一体の第1の連続支持帯としてなされ、  前記被施術者の前記後頭部の右上側の前記支持帯と前記被施術者の前記後頭部の左上側の前記支持帯とは、前記被施術者の前記後頭部下部の下方において連続した一体の第２の連続支持帯としてなされ、前記連結帯は、前記第1の連続支持帯と前記第２の連続支持帯とを連結し、前記第１の弾性体は、前記第1の連続支持帯の右端部に接続され、前記第２の弾性体は、前記第１の連続支持帯の左端部に接続され、前記第３の弾性体は、前記第２の連続支持帯の右端部に接続され、前記第４の弾性体は、前記第２の連続支持帯の左端部に接続されていることを特徴とする施術用頭部支持装置である。
【００１０】
請求項３に記載の発明は、請求項２に記載の発明において、前記連結帯は、前記第１の連続支持帯を貫通させた第１の筒状部と、前記第２の連続支持帯を貫通させた第２の筒状部とを備えていることを特徴とする施術用頭部支持装置である。
【００１１】
請求項４に記載の発明は、請求項２又は請求項３に記載の発明において、さらに、前記第１の連続支持帯の右端部と前記第１の弾性体との間に介在するように設けられた第１の接続具と、前記第１の連続支持帯の左端部と前記第２の弾性体との間に介在するように設けられた第２の接続具と、前記第２の連続支持帯の右端部と前記第３の弾性体との間に介在するように設けられた第３の接続具と、前記第２の連続支持帯の左端部と前記第４の弾性体との間に介在するように設けられた第４の接続具とを有し、前記第１の接続具、前記第２の接続具、前記第３の接続具及び前記第４の接続具は、前記第１の弾性体、前記第２の弾性体、前記第３の弾性体及び第４の弾性体に対してそれぞれ着脱可能になされていることを特徴とする施術用頭部支持装置である。
【００１２】
請求項５に記載の発明は、請求項２から請求項４のいずれか一項に記載の発明において、さらに、前記被施術者の前記頭部の上方に、かつ、前記被施術者の前記頭部の左右方向に延在するように設けられた架設材と、前記架設材に取り付けられると共に、前記第１の弾性体が接続された第１の腕木と、前記架設材に取り付けられると共に、前記第２の弾性体が接続された第２の腕木と、前記架設材に取り付けられると共に、前記第３の弾性体が接続された第３の腕木と、前記架設材に取り付けられると共に、前記第４の弾性体が接続された第４の腕木を有することを特徴とする施術用頭部支持装置である。
【００１３】
請求項６に記載の発明は、請求項２から請求項５のいずれか一項に記載の発明において、さらに、前記架設材の右端部を支持すると共に、昇降可能に設けられた第１の昇降支柱と、前記架設材の左端部を支持すると共に、前記第１の昇降支柱と同時に昇降可能に設けられた第２の昇降支柱を有することを特徴とする施術用頭部支持装置である。
【発明の効果】
【００１４】
請求項１に記載の発明によれば、仰向けに横たわった被施術者の頭部を４つの支持帯が支持し、さらにこれらの支持帯に、第１の弾性体、第２の弾性体、第３の弾性体及び第４の弾性体がそれぞれ接続されているので、被施術者は後頭部にこれらの弾性体の持つ弾性の感触、すなわち浮遊感に似た感覚を得ながら頭部及び頸部が支持された状態となる。したがって、被施術者は、頭部を枕などで支持する場合よりもリラックスすることができ、被施術者の頭部を支える筋肉が十分に弛緩した状態となる。また、人間の頭部の重心は左右の耳介の中央近傍にあるが、４つの支持帯はこの重心の右下側、左下側、右上側、左上側にそれぞれバランス良く配置されているので、被施術者の頭部を非常に安定的に支持することができる。
【００１５】
請求項２に記載の発明によれば、４つの支持帯を第１の連続支持帯と第２の連続支持帯とにまとめ、連結帯が第１の連続支持帯と第２の連続支持帯とを連結しているので、施術者は、２つの連続支持帯の位置決めの手順、例えば第１の連続支持帯の中央下端部を第２頸椎に当てるなどと決めておけば、４つの支持帯を同時に適切な位置に配置することができ、手技の前準備に時間を取られることがない。また、被施術者はすぐに手技を受けられるので、手技を待つことでストレスを感じることがなくリラックスできる。
【００１６】
請求項３に記載の発明によれば、連結帯に第１の筒状部及び第２の筒状部を設けたので、第１の連続支持帯及び第２の連続支持帯から連結帯を抜き取ることによってこれらを容易に分離できる。したがって、連結帯を頻繁に交換することが容易になり、被施術者が連結帯から他人の頭部の臭いを感じてリラックスできなくなり、頭部を支える筋肉が十分に弛緩しなくなることを防止できる。
【００１７】
請求項４に記載の発明によれば、４つの弾性体から第１の連続支持帯及び第２の連続支持帯を容易に分離できる。したがって、第１の連続支持帯及び第２の連続支持帯を頻繁に交換することが容易になり、第１の連続支持帯及び第２の連続支持帯を常に清潔な状態に保つことができ被施術者が第１の連続支持帯及び第２の連続支持帯から他人の頭部の臭いを感じてリラックスできなくなり、頭部を支える筋肉が十分に弛緩しなくなることを防止できる。さらに、被施術者が非常に高身長で肥満である場合などのように、頭部が特に重い又は軽い場合に４つの弾性体を交換することも容易になる。
【００１８】
請求項５に記載の発明によれば、被施術者の頭部の上方にある架設材と４つの腕木によって４つの弾性体を支持するので、施術者が施術するときに４つの弾性体を支持する構造物が施術をほとんど妨げず、スムーズに施術できる。ひいては、スムーズに施術できることによって、被施術者が施術中リラックスした状態を保てる。
【００１９】
請求項６に記載の発明によれば、架設材を支持する第１の昇降支柱と第２の昇降支柱とが同時に昇降可能なので、第１の連続支持帯及び第２の連続支持帯の高さを容易に調節でき、高さを調節できない施術台や畳の上に横たわった被施術者に対する利用が可能になる。
【図面の簡単な説明】
【００２０】
【図１】第１の実施の形態に係る施術用頭部支持装置の使用状態を示す斜視図である。
【図２】スプリングとその周辺部分の詳細な構成を示す斜視図である。
【図３】下部連続支持帯及び上部連続支持帯による被施術者の頭部の支持状態を示す図であり、（Ａ）は頭頂側を見た図であり、（Ｂ）は左耳側を見た図である。
【図４】連結帯の斜視図である。
【図５】頭部を支持する部分の変形例を示す図（１）であり、（Ａ）は４つの支持帯を設けた変形例を示す平面図、（Ｂ）は連結帯の変形例を示す平面図である。
【図６】頭部を支持する部分の変形例を示す図（２）であり、（Ａ）は４つの支持帯を設けた変形例を示す平面図、（Ｂ）は４つの支持帯と４つの連結帯を設けた変形例を示す平面図である。
【図７】腕木の第１の変形例を示す図であり、（Ａ）は腕木を水平に固定した状態を示す側面図、（Ｂ）は腕木を傾けた状態を示す側面図である。
【図８】腕木の第２の変形例を示す図であり、（Ａ）は両方の腕木を水平に固定した状態を示す側面図、（Ｂ）は片側の腕木を傾けた状態を示す側面図である。
【図９】弾性体の変形例を示す側面図である。
【図１０】第２の実施の形態に係る施術用頭部支持装置の使用状態を示す斜視図である。
【図１１】第３の実施の形態に係る施術用頭部支持装置の使用状態を示す斜視図である。
【図１２】第４の実施の形態に係る施術用頭部支持装置の使用状態を示す斜視図である。
【図１３】従来技術に係る枕としての機能を持つクッションマットを示す図であり、（Ａ）は斜視図、（Ｂ）は側面図である。
【発明を実施するための形態】
【００２１】
以下に本発明の第１の実施の形態に係る施術用頭部支持装置を図面に基づいて詳しく説明する。なお、第１の実施の形態をはじめとする各実施の形態においては、施術台を単純な長方形の台として示しているが、例えば上半身側の台と下半身側の台が個別に可動するものやヘッドレスト付のものなど、施術用のものであれば形状又は構造は特に問わない。また、施術範囲が制約されるが、被施術者が畳や床などの上に横たわっているときにも使用できる。図１は、第１の実施の形態に係る施術用頭部支持装置の使用状態を示す斜視図である。図１において、１０は施術用頭部支持装置、１１は下部連続支持帯、１１ａは右側支持部、１１ｂは左側支持部、１２は上部連続支持帯、１２ａは右側支持部、１２ｂは左側支持部、１３は連結帯、１８、１９、２０及び２１は接続具、３０、３１、３２及び３３はスプリング、３８及び３９は腕木、４０は架設材、４１及び４２は昇降支柱、４３は支持脚、４４及び４５は昇降支持柱、４６は操作部、４７及び４８は脚部、４９は連結部、５０、５１、５２及び５３はキャスタ、７９は施術者の位置、８０は被施術者、８１は頭部、８５は施術台である。
【００２２】
図１に示すように、この実施の形態の施術用頭部支持装置１０は、施術台８５の被施術者８０の頭部８１が位置する側の近傍に配置して使用する。また、施術用頭部支持装置１０は、被施術者８０の頭部８１を吊り下げた状態で支持するために、概略構造を縦長長方形枠状に形成しており、上辺に相当する架設材４０に頭部８１の吊り下げ支持に直接関わる構成品を吊り下げ状態で設けている。さらに、施術用頭部支持装置１０の下部には、施術用頭部支持装置１０全体の支持する構成品として支持脚４３を設けている。支持脚４３は、脚部４７及び４８、連結部４９、キャスタ５０、５１、５２及び５３からなる。脚部４７と脚部４８とは、施術台８５の右側と左側に対応する位置に、施術台８５の左右方向の幅よりもやや広い間隔をおいて設けられている。連結部４９は、脚部４７と脚部４８とを連結するものである。さらに、脚部４７及び４８と直交するように延在しており、縦長長方形枠状の概略構造を持つ施術用頭部支持装置１０において下辺に相当するものである。なお、施術用頭部支持装置１０を上から見下ろしたときに架設材４０と重なり合う位置に設けられている。キャスタ５０及び５２は脚部４７に、キャスタ５１及び５３は脚部４８にそれぞれ設けてられており、施術用頭部支持装置１０の移動を容易にしている。
【００２３】
また、架設材４０は、昇降支柱４１及び４２と昇降支持柱４４及び４５とによって所定の高さに支持されている。したがって、縦長長方形枠状の概略構造を持つ施術用頭部支持装置１０において、昇降支柱４１及び４２と昇降支持柱４４及び４５とは左右の辺に相当するものである。昇降支持柱４４と昇降支持柱４５とは、脚部４７と脚部４８とのそれぞれ中央から直立しており、内部に昇降支柱４１と昇降支柱４２とをそれぞれ昇降させる電気的な昇降手段を備えている。さらに、昇降支持柱４４には操作部４６が設けられている。操作部４６は、昇降支柱４１及び４２の昇降手段の動作を制御する図示していない制御手段に電気的に接続されており、施術者が操作部４６を操作することによって昇降支柱４１及び４２を昇降させることを可能にしている。また、昇降支柱４１と昇降支柱４２とは、昇降支持柱４４と昇降支持柱４５との上端部から直立しており、架設材４０を昇降させるために設けられている。また、下降するときには下端側の部分がそれぞれ昇降支持柱４４と昇降支持柱４５との内部に進入するように構成されている。なお、昇降支柱４１と昇降支柱４２との昇降支持柱４４と昇降支持柱４５に対する高さの比は、図１に示したものに限られるものではなく、例えば昇降支柱４１と昇降支柱４２とを昇降支持柱４４と昇降支持柱４５との１０分の１程度の高さにするなど、施術台の高さや形状、手技の種類等に応じて適宜変更できる。
【００２４】
なお、昇降支柱４１と昇降支柱４２との昇降距離は、施術台の高さや形状、ヘッドレストの有無などによるが、おおむね５ｃｍから２０ｃｍ程度であればよい。また、施術用頭部支持装置１０を昇降可能な施術台に対してのみ使用する場合には、昇降支柱４１及び４２を昇降しない固定支柱としてもよい。さらに、昇降支柱４１及び４２を昇降させる機構は、被施術者８０の頭部８１と、昇降支柱４１及び４２などの昇降支持柱４４及び４５に支持された構成品の全重量を支持しながら昇降又は停止できるものであれば、ラック・ピニオンや、リニアモータ、油圧シリンダ、空気圧シリンダ、電動式ウインチなど周知の各種昇降機構を用いることができる。また、電気的な昇降手段に代えて手動による昇降手段を設けてもよい。例えば、昇降支柱４１と昇降支持柱４４、昇降支柱４２と昇降支持柱４５とのそれぞれの内部にワイヤとウインチを設け、ウインチのドラムに接続されたハンドルを回転させて昇降させるようにしてもよい。
【００２５】
さらに、詳細な構成について説明する。図２は、スプリングとその周辺部分の詳細な構成を示す斜視図である。図２において、１４、１５、１６及び１７はバックル、２２、２３、２４及び２５はリング、２６、２７、２８及び２９はナス環、３４、３５、３６及び３７はシャックル、３８ａは下部腕部、３８ｂは上部腕部、３９ａは下部腕部、３９ｂは上部腕部であり、その他の符号は図１と同じものを示す。
【００２６】
架設材４０は金属製のパイプからなり、前述のように、架設材４０には被施術者８０の頭部８１の吊り下げ支持に直接関わる構成品が吊り下げられている。すなわち、架設材４０には、吊り下げ支持に直接関わる構成品の吊り下げを容易にするために金属製の腕木３８及び３９が固定されている。腕木３８は、頭部８１の後頭部の下部と上部との支持に対応した下部腕部３８ａと上部腕部３８ｂとの２つの腕木を構造の単純化のために一体化して設けたものである。同様に、腕木３９も、下部腕部３９ａと上部腕部３９ｂとの２つの腕木を一体にした構成としている。なお、腕木３８と腕木３９との間隔は、人間の頭部の左右方向の幅とほぼ同じか、この幅よりも少し広くなるように設定している。また、腕木３８の下部腕部３８ａに対してシャックル３４、上部腕部３８ｂに対してシャックル３６、腕木３９の下部腕部３９ａに対してシャックル３５、上部腕部３９ｂに対してシャックル３７をそれぞれ取り付けている。さらに、シャックル３４に対してスプリング３０、シャックル３６に対してスプリング３２、シャックル３５に対してスプリング３１、シャックル３７に対してスプリング３３を吊り下げている。くわえて、スプリング３０に対して接続具１８のナス環２６、スプリング３２に対して接続具２０のナス環２８、スプリング３１に対して接続具１８のナス環２７、スプリング３３に対して接続具２１のナス環２９を係止している。
【００２７】
スプリング３０、３１、３２及び３３は、後述するように、被施術者８０の頭部８１と頸部の一部又は全部をこれらの弾発力で支持することによって、被施術者８０が後頭部にこれらの持つ弾性の感触、すなわち浮遊感に似た感覚を得られるようにするために設けたものである。また、スプリング３０、３１、３２及び３３は、接続具１８、１９、２０及び２１と、これらに吊り下げられた下部連続支持帯１１、上部連続支持帯１２、連結帯１３、並びに、バックル１４、１５、１６及び１７の重量と、被施術者８０の頭部８１の重量と、被施術者８０の頸部の一部又は全部の重量とに対して永久ひずみを生じることがない十分な耐力を持っている。したがって、シャックル３４、３５、３６及び３７は、架設材４０が停止している限り腕木３８及び３９と共に上下に動くことはないが、接続具１８、１９、２０及び２１と、これらに吊り下げられた下部連続支持帯１１、上部連続支持帯１２、連結帯１３、並びに、１４、１５、１６及び１７は、スプリング３０、３１、３２及び３３に加わる荷重に応じて上下動する。なお、頸部の重量については、施術台８５の形状又は構造や、被施術者８０の肩部に施術用マット（クッション）を当てているか否かなどによるが、頸部の全部の重量を支持可能であることが望ましい。
【００２８】
また、接続具１８、１９、２０及び２１は、スプリング３０、３１、３２及び３３と、下部連続支持帯１１及び上部連続支持帯１２との接続を容易にすると共に、下部連続支持帯１１及び上部連続支持帯１２、又は、連結帯１３を短時間の内に交換できるようにするために設けている。接続具１８、１９、２０及び２１は、上部にナス環２６、２７、２８及び２９をそれぞれ設けてあり、下部にリング２２、２３、２４及び２５をそれぞれ設けている。前述のように、ナス環２６、２７、２８及び２９は、スプリング３０、３１、３２及び３３にそれぞれ係止してある。また、リング２２に対して下部連続支持帯１１の右側支持部１１ａ、リング２３に対して上部連続支持帯１２の右側支持部１２ａ、リング２４に対して下部連続支持帯１１の左側支持部１１ｂ、リング２５に対して上部連続支持帯１２の左側支持部１２ｂを通している。さらに、右側支持部１１ａ、右側支持部１２ａ、左側支持部１１ｂ及び左側支持部１２ｂのそれぞれの端部近傍にバックル１４、１５、１６及び１７をそれぞれ設け、右側支持部１１ａ、右側支持部１２ａ、左側支持部１１ｂ及び左側支持部１２ｂがリング２２、２３、２４及び２５から脱落しないようにしている。
【００２９】
なお、バックル１４、１５、１６及び１７から右側支持部１１ａ、右側支持部１２ａ、左側支持部１１ｂ及び左側支持部１２ｂを解き放すことによってリング２２、２３、２４及び２５から右側支持部１１ａ、右側支持部１２ａ、左側支持部１１ｂ及び左側支持部１２ｂを引き抜くことも可能である。したがって、下部連続支持帯１１及び上部連続支持帯１２、又は、連結帯１３の交換は、この方法によっても可能である。また、バックル１４、１５、１６及び１７を設けずに、右側支持部１１ａ、右側支持部１２ａ、左側支持部１１ｂ及び左側支持部１２ｂのそれぞれの端部近傍をリング２２、２３、２４及び２５に通した上で縫い付けるなどして接続してもよい。さらに、シャックル３４、３５、３６及び３７を設けずに、腕木３８及び３９にスプリング３０、３１、３２及び３３を直接取り付けてもよい。また、架設材４０を板材や、Ｈ形鋼のような断面を持つものにしてもよい。さらに、スプリング３０とスプリング３２、スプリング３１とスプリング３３との間隔を数ｃｍ以上確保できる場合には、腕木３８及び３９を設けずに、架設材４０に対してスプリング３０、３１、３２及び３３を直接吊り下げてもよい。
【００３０】
さらに、被施術者８０の頭部８１に直接接して支持する構成品について説明する。図３は、下部連続支持帯及び上部連続支持帯による被施術者の頭部の支持状態を示す図であり、（Ａ）は頭頂側を見た図であり、（Ｂ）は左耳側を見た図である。図３において、８２及び８３は耳介、８４は上部頸椎近傍部分であり、その他の符号は図１と同じものを示す。また、図４は、連結帯の斜視図である。図４において、１３ａ及び１３ｂは筒状部であり、その他の符号は図１と同じものを示す。なお、図４は、連結帯１３の一部を手前側に折り曲げた状態を示しているが、連結帯１３は布製であるので様々な形状に変形可能である。
【００３１】
被施術者８０の頭部８１は、布製の下部連続支持帯１１及び上部連続支持帯１２で支持している。すなわち、図３に示すように、頭部８１の後頭部下側、すなわち上部頸椎近傍部分８４側に下部連続支持帯１１、後頭部上側に上部連続支持帯１２を巡らせて、下部連続支持帯１１及び上部連続支持帯１２の中間部分で頭部８１を支持する。右側支持部１１ａと右側支持部１２ａとは、被施術者８０の顔の右側から上方に延びて接続具１８と接続具２０に接続されている。また、左側支持部１１ｂと左側支持部１２ｂとは、被施術者８０の顔の左側から上方に延びて接続具１９と接続具２１に接続されている。下部連続支持帯１１及び上部連続支持帯１２の中間部分で頭部８１に接している部分は、連結帯１３で連結されている。したがって、被施術者８０の頭部８１の後頭部は、ほぼ全体が連結帯１３で覆われることになる。また、下部連続支持帯１１と上部連続支持帯１２とは、耳介８２及び耳介８３の上側と下側を支持している状態となる。被施術者８０の頭部８１の重心は、一般的に耳介８２と耳介８３との中間点近傍に位置しているので、右側支持部１１ａ及び右側支持部１２ａと、左側支持部１１ｂと左側支持部１２ｂとがこの重心の右下方、左下方、右上方、左上方にそれぞれ位置することになるので、被施術者８０の頭部８１をバランス良く支持する。
【００３２】
また、連結帯１３は、図４に示すように、長手方向の端部を筒状に縫い閉じて筒状部１３ａ及び１３ｂを形成している。筒状部１３ａと筒状部１３ｂは、下部連続支持帯１１と上部連続支持帯１２とをそれぞれ通せる幅を持っており、これらを内部に貫通させて、長手方向の中央が下部連続支持帯１１と上部連続支持帯１２の中央に位置するように配置する。連結帯１３を設けたことよって、施術者は、下部連続支持帯１１及び上部連続支持帯１２の位置決めの手順、例えば下部連続支持帯１１の中央下端部を第２頸椎に当てるなどと決めておけば、下部連続支持帯１１等の頭部を支持する各構成品を同時に適切な位置に配置することができ、手技の前準備に時間を取られることがない。また、被施術者８０はすぐに手技を受けられるので、手技を待つことでストレスを感じることがなくリラックスできる。また、施術中に被施術者８０が頭部８１を動かすと、被施術者８０の頭髪の状態によっては、上部連続支持帯１２が後頭部の頭髪上を摺接しながら移動してしまう場合がある。このように上部連続支持帯１２が移動すると、被施術者が後頭部に不安定さを感じて筋肉が緊張することがあるが、連結帯１３を設けることによってこのような事態の発生を防止できる。さらに、上部連続支持帯１２が頭髪上を摺接しながら移動を続けて、後頭部から離脱することも防止できる。
【００３３】
くわえて、連結帯１３は、下部連続支持帯１１及び上部連続支持帯１２から簡単に抜き取ることができる。さらに、前述のように、下部連続支持帯１１及び上部連続支持帯１２の取り外しも簡単にできる。したがって、施術者は、連結帯１３と、下部連続支持帯１１及び上部連続支持帯１２との使用回数、さらに汗や臭いの付着状態に応じて、これらを一緒に又は個別に交換することが非常に容易である。したがって、連結帯１３と、下部連続支持帯１１及び上部連続支持帯１２とを常に清潔で快適な状態に保つことができ、被施術者８０が連結帯から他人の頭部の体臭や整髪料の臭いを感じてリラックスできなくなり、頭部を支える筋肉が十分に弛緩しなくなることを防止できる。ところで、図３においては、右側支持部１１ａ及び右側支持部１２ａと、左側支持部１１ｂ及び左側支持部１２ｂとが上方に向かうにつれてやや開くように記載しているが、これらが平行になるように構成してもよく、さらに上方に向かうにつれてやや近づくように構成することも可能である。しかし、右側支持部１１ａ及び右側支持部１２ａと、左側支持部１１ｂ及び左側支持部１２ｂとによって、頬や顎に窮屈さを感じる、あるいは顔を左右いずれかに傾けるなどの癖を矯正させるような感覚があると、頭部を支える筋肉が十分に弛緩しなくなる場合があるので、右側支持部１１ａ及び右側支持部１２ａと、左側支持部１１ｂ及び左側支持部１２ｂとの距離に影響する腕木３８と腕木３９との間隔は、人間の顔の幅か、これより広いことが好ましく、人間の顔の幅よりやや広いことがさらに好ましい。
【００３４】
次に、第１の実施の形態に係る施術用頭部支持装置の使用方法について、図１に基づいて説明する。まず、操作部４６を操作して昇降支柱４１及び４２を昇降させ、下部連続支持帯１１及び上部連続支持帯１２を被施術者８０に対して適当と推測される高さに調整しておく。次に、被施術者８０に頭部８１が施術台８５の端部からはみ出して宙に浮くような位置になうように仰向けに横たわってもらう。このとき、施術者は、施術者の位置７９として示したところで、仰向けに横たわった被施術者８０の頭部８１を自分の手で支えながら、下部連続支持帯１１及び上部連続支持帯１２を被施術者８０の後頭部に掛けて、頭部８１が下部連続支持帯１１及び上部連続支持帯１２で支持されるようにする。または、仰向けに横たわりつつある被施術者８０の頭部８１に下部連続支持帯１１及び上部連続支持帯１２を掛け、被施術者８０が完全に横たわったときに直ちに頭部８１が下部連続支持帯１１及び上部連続支持帯１２で支持されるようにする。なお、特に図示していないが、施術台８５にヘッドレストがある場合には、ヘッドレストの上に下部連続支持帯１１及び上部連続支持帯１２を予め置いておき、被施術者８０がヘッドレストの上に頭を置いた後にヘッドレストを下降させることによって、頭部８１が下部連続支持帯１１及び上部連続支持帯１２で支持されるようにする。
【００３５】
次に、操作部４６を操作して昇降支柱４１及び４２を昇降させ、下部連続支持帯１１及び上部連続支持帯１２の高さを被施術者８０が最も快適と感じる位置に微調節する。このように調節すると、被施術者８０は、スプリング３０、３１、３２及び３３の弾発力によって、頭部８１がしっかりと支持されつつも、フワフワと空中に浮いているような浮遊感に似た感覚を得る。このような感覚を得ると、被施術者８０は、ごく短時間のうちにリラックスでき、被施術者の頭部を支える筋肉が十分に弛緩した状態となる。この後、施術者は、施術者の位置７９として示した場所において跪く、あるいは椅子に座るなどしてカイロプラクティックや、マッサージ、整体などの施術を行う。被施術者８０の頭部を支える筋肉が十分に弛緩しているので、施術者は頸椎の歪みや、頭部を支える筋肉の拘縮を和らげるための手技に直ちに集中することができ、その効果も増大する。
【００３６】
次に、第１の実施の形態に係る施術用頭部支持装置の各構成品の変形例について説明する。図５は、頭部を支持する部分の変形例を示す図（１）であり、（Ａ）は下部連続支持帯及び上部連続支持帯の変形例を示す平面図、（Ｂ）は連結帯の変形例を示す平面図である。図５において、５４は連結帯、５５ａ、５５ｂ、５５ｃ及び５５ｄは面ファスナを示し、その他の符号は図１と同じものを示す。
【００３７】
図５（Ａ）は、下部連続支持帯１１及び上部連続支持帯１２の変形例であり、下部連続支持帯１１及び上部連続支持帯１２の幅を広くし、これらの間隙を狭くしている。このように、下部連続支持帯１１及び上部連続支持帯１２の幅を広くすることによって、被施術者８０の頭部８１を支持する部分の面積が広くなり、頭部８１がさらに安定する効果がある。ただし、被施術者８０によっては、下部連続支持帯１１と上部連続支持帯１２との間隙がないと、耳介８２及び８３に圧迫を感じてリラックスできなくなる場合があるので、下部連続支持帯１１と上部連続支持帯１２との間隙は１ｃｍ〜２ｃｍ確保することが好ましい。また、図５（Ｂ）は、連結帯５４に筒状部を形成せず、これに代えて下部連続支持帯１１及び上部連続支持帯１２に接する部分に面ファスナ５５ｃ及び５５ｄを設けている。さらに、下部連続支持帯１１と上部連続支持帯１２とにも、面ファスナ５５ｃと面ファスナ５５ｄとに対応する部分に面ファスナ５５ａと面ファスナ５５ｂとを設けている。このように、連結帯５４を面ファスナで着脱できるようにすることによって、連結帯５４の交換が非常に簡単にできるという利点がある。
【００３８】
図６は、頭部を支持する部分の変形例を示す図（２）であり、（Ａ）は４つの支持帯を設けた変形例を示す平面図、（Ｂ）は４つの支持帯と４つの連結帯を設けた変形例を示す平面図である。図６において、５６ａ、５６ｂ、５６ｃ及び５６ｄは支持帯、５７、５７ａ、５７ｂ、５７ｃ及び５７ｄは連結帯、５８ａ、５８ｂ、５８ｃ、５８ｄはハトメである。
【００３９】
図６（Ａ）では、下部連続支持帯１１及び上部連続支持帯１２に代えて、支持帯５６ａ、５６ｂ、５６ｃ及び５６ｄを設けた変形例を示している。支持帯５６ａ、５６ｂ、５６ｃ及び５６ｄは、右側支持部１１ａ、左側支持部１１ｂ、右側支持部１２ａ及び左側支持部１２ｂに対応するものであり、これらの支持帯の図示していない端部は接続具１８、１９、２０及び２１にそれぞれ接続されている。さらに、これらの支持帯の他方の端部は、連結帯５７のハトメ５８ａ、５８ｂ、５８ｃ、５８ｄを利用してそれぞれ連結帯５７に接続されている。この構成では、連結帯５７が下部連続支持帯１１及び上部連続支持帯１２の中間部と連結帯１３との役割を果たす。なお、連結帯５７の中央部分は、支持帯５６ａと支持帯５６ｄ、支持帯５６ｂと支持帯５６ｃとの対角線上に位置するので、最も引張応力が加わる領域となる。したがって、被施術者８０の後頭部が大きく突き出している場合には、連結帯５７の中央部分が突っ張っているような、あるいは、後頭部が多少圧迫されるように感じる場合があるので、図３の構成の方がやや好ましいと言える。
【００４０】
図６（ｂ）では、下部連続支持帯１１及び上部連続支持帯１２に代えて、支持帯５６ａ、５６ｂ、５６ｃ及び５６ｄを設け、さらに、連結帯として連結帯５７ａ、５７ｂ、５７ｃ及び５７ｄの４つを設けた変形例を示している。この変形例では、被施術者８０が仰向けに横たわったときいは、後頭部の中央が連結帯５７ａ、５７ｂ、５７ｃ及び５７ｄに囲まれた領域に位置することになる。したがって、多少複雑な構成となるが、後頭部の中央が解放されるので、後頭部を圧迫されるように感じることもなく、さらに後頭部が蒸れにくくなるという利点がある。
【００４１】
図７は、腕木の第１の変形例を示す図であり、（Ａ）は腕木を水平に固定した状態を示す側面図、（Ｂ）は腕木を傾けた状態を示す側面図である。図７において、５９ａ及び５９ｂは腕木、６０はストッパねじを示し、その他の符号は図１と同じものを示す。また、図８は、腕木の第２の変形例を示す図であり、（Ａ）は両方の腕木を水平に固定した状態を示す側面図、（Ｂ）は片側の腕木を傾けた状態を示す側面図である。図８において、５９ａ及び
５９ｂは腕木、６０ａ及び６０ｂはストッパねじを示し、その他の符号は図７と同じものを示す。
【００４２】
図７では、腕木５９を傾けることができるようにした変形例である。すなわち、腕木５９は、架設材４０を軸として回転可能に支持されている。さらに、腕木５９に貫通孔を穿設してナットを埋め込み、さらにストッパねじ６０を設けている。ストッパねじ６０は、架設材４０を締め付けることによって腕木５９の回転止めとなる。この変形例では、図７（Ｂ）に示すように、腕木５９を傾けることによって、下部連続支持帯１１と上部連続支持帯１２との高さに差を設けされるようにし、被施術者８０の頭部８１の形状、大きさの違いや、被施術者８０の頭部又は頸部の姿勢の好みによりきめ細かく応じることが可能になる。
【００４３】
図８は、図７の変形例の構成をさらに改変したものである。すなわち、腕木５９を、腕木５９ａと腕木５９ｂとに分割して別個に設けている。腕木５９ａと腕木５９ｂとには、ストッパねじ６０ａとストッパねじ６０ｂとをそれぞれ設けている。このように構成することによって、下部連続支持帯１１と上部連続支持帯１２との高さを個別に調節できるようにしている。なお、この変形例においては、スプリング３１及び３３を設ける代わりにねじりばねを設けることも可能である。すなわち、ねじりばねを架設材４０に挿通し、一端を腕木５９ａに係止し、他端を新たに設けた係止部に係止し、腕木５９ａのシャックル３５を設けている側が跳ね上がるようにする。腕木５９ｂもシャックル３７を設けている側が跳ね上がるようにねじりばねを設けておく、そして、シャックル３５にナス環２７、シャックル３７にナス環２９を係止すれば、ねじりばねの弾発力によって被施術者８０の頭部８１を支持することができる。
【００４４】
図９は、弾性体の変形例を示す側面図である。図９において、３９ｃ及び３９ｄは開口部、６１及び６２はゴムバンド、６３は支持板、６３ａ及び６４ａは開口部、６４は支持板、６４ａは開口部であり、その他の符号は図１と同じものを示す。
【００４５】
図９では、弾性体として、スプリング３１及び３３に加えてゴムバンド６１及び６２を設けている変形例である。すなわち、架設材４０の開口部６３ａと開口部６４ａとにゴムバンド６１とゴムバンド６２とをそれぞれ取り付ける。さらに、ゴムバンド６１とゴムバンド６２との下側は、支持板６３の開口部６３ａと支持板６４の開口部６４ａとをそれぞれ取り付ける。くわえて、支持板６３の図示してない開口部と支持板６４３の図示してない開口部とに、シャックル３５とシャックル３７とをそれぞれ取り付け、さらにシャックル３５とシャックル３７とにスプリング３１とスプリング３３とをそれぞれ取り付ける。このように構成することによって、被施術者８０の頭部８１を下部連続支持帯１１及び上部連続支持帯１２で支持したときに、スプリング３１及び３３とゴムバンド６１及び６２との弾発力によってより微妙で複雑な浮遊感を得ることができる。したがって、被施術者８０の浮遊感に関する多様で主観的な要求により的確に応えることが可能となる。
【００４６】
続けて、本発明の第２の実施の形態に係る施術用頭部支持装置を図面に基づいて説明する。図１０は、第２の実施の形態に係る施術用頭部支持装置の使用状態を示す斜視図である。図１０において、６５、６６、６７及び６８は支持帯固定具、６９、７０、７１及び７２は伸縮支柱、７３及び７４は支持台であり、その他の符号は図１と同じものを示す。なお、この実施の形態に係る施術用頭部支持装置において、第１の実施の形態に係る施術用頭部支持装置と同一の構成となる部分については説明を省略する。
【００４７】
この実施の形態に係る施術用頭部支持装置１０は、被施術者８０の頭部８１を上方にある弾性体によって吊り下げるのではなく、下方にある弾性体で持ち上げる点において異なる構成となっている。すなわち、第２の実施の形態に係る施術用頭部支持装置１０において、右側支持部１１ａ、右側支持部１２ａ、左側支持部１１ｂ及び左側支持部１２ｂの接続具１８、１９、２０及び２１に固定されていた側の端部は、それぞれ支持帯固定具６５、６６、６７及び６８に対して固定されている。また、支持帯固定具６５、６６、６７及び６８は、伸縮支柱６９、７０、７１及び７２に支持されている。伸縮支柱６９、７０、７１及び７２は、図示していないスプリングをそれぞれ内部に設けてある。さらに、伸縮支柱６９、７０、７１及び７２は、押し下げる力が加わると、その力に応じてこれらの上部が支持帯固定具６５、６６、６７及び６８の内部に進入可能に構成してある。
【００４８】
したがって、支持帯固定具６５、６６、６７及び６８は、これらのスプリングの弾発力によって上下動可能な状態で支持されている。また、伸縮支柱６９及び７１は下端部が支持台７３に固定されており、同様に、伸縮支柱７０及び７２は下端部が支持台７４に固定されている。支持台７３と支持台７４とは、それぞれ昇降支柱４１と昇降支柱４２との上端部に固定されている。したがって、第１の実施の形態に係る施術用頭部支持装置１０と同様に、操作部４６を操作して昇降支柱４１及び４２を昇降させ、下部連続支持帯１１及び上部連続支持帯１２を施術上好ましい高さに位置させることが可能である。下部連続支持帯１１及び上部連続支持帯１２の高さを調節した上で、被施術者８０が頭部８１を下部連続支持帯１１及び上部連続支持帯１２に載せると、伸縮支柱６９、７０、７１及び７２の内部に設けたスプリングの弾発力によって上方に持ち上げるように支持されつつも、フワフワと空中に浮いているような浮遊感を得ることができる。なお、下部連続支持帯１１及び上部連続支持帯１２の交換は、支持帯固定具６５、６６、６７及び６８を分解することによって可能である。なお、伸縮支柱６９、７０、７１及び７２を被施術者８０の頭部８１側に倒伏可能な構成とし、伸縮支柱６９、７０、７１及び７２の内部にそれぞれ設けたねじりばねの弾発力によって被施術者８０の頭部８１を支持するようにしてもよい。すなわち、伸縮支柱６９、７０、７１及び７２の下端部側に被施術者８０の頭部８１側に回転可能となるようにそれぞれ軸受を設け、被施術者８０が頭部８１を下部連続支持帯１１及び上部連続支持帯１２に載せたときにはねじりばねの弾発力によって被施術者８０の頭部８１を引き上げるようにすれば、被施術者８０が頭部８１に空中に浮いているような浮遊感を得ることができる。
【００４９】
さらに、本発明の第３の実施の形態に係る施術用頭部支持装置を図面に基づいて説明する。図１１は、第３の実施の形態に係る施術用頭部支持装置の使用状態を示す斜視図である。図１１において、７５及び７６は支持台、７７及び７８は蓋部であり、その他の符号は図１と同じものを示す。なお、この実施の形態に係る施術用頭部支持装置において、第１の実施の形態に係る施術用頭部支持装置と同一の構成となる部分については説明を省略する。
【００５０】
この実施の形態に係る施術用頭部支持装置１０は、被施術者８０の頭部８１を上方にある弾性体に対して吊り下げるのではなく、ぜんまいばねの回転力で右側支持部１１ａ、右側支持部１２ａ、左側支持部１１ｂ及び左側支持部１２ｂを水平方向に引っ張る点において異なる構成となっている。すなわち、支持台７５及び７６の内部には、図示していないぜんまいばねをそれぞれ設けてある。これらのぜんまいばねの回転力によって、右側支持部１１ａ及び右側支持部１２ａは支持台７５に引き込まれ、左側支持部１１ｂ及び左側支持部１２ｂは支持台７６に引き込まれる。また、支持台７５と支持台７６とは、それぞれ昇降支柱４１と昇降支柱４２との上端部に固定されている。したがって、第１の実施の形態に係る施術用頭部支持装置１０と同様に、操作部４６を操作して昇降支柱４１及び４２を昇降させ、下部連続支持帯１１及び上部連続支持帯１２を施術上好ましい高さに位置させることが可能である。
【００５１】
したがって、下部連続支持帯１１及び上部連続支持帯１２の高さを調節した上で、被施術者８０が頭部８１を下部連続支持帯１１及び上部連続支持帯１２に載せると、支持台７５及び７６の内部に設けたぜんまいばねの回転力によって、右側支持部１１ａ、右側支持部１２ａ、左側支持部１１ｂ及び左側支持部１２ｂが水平に引っ張られ、下部連続支持帯１１及び上部連続支持帯１２の中間部分と連結帯１３が上方に持ち上がるので、フワフワと空中に浮いているような浮遊感を得ることができる。なお、下部連続支持帯１１及び上部連続支持帯１２の交換は、支持台７５と支持台７６との蓋部７７と蓋部７８とを開き、右側支持部１１ａ、右側支持部１２ａ、左側支持部１１ｂ及び左側支持部１２ｂの端部を引き出し、さらに支持台７５と支持台７６とから取り外すことによって可能である。
【００５２】
くわえて、本発明の第４の実施の形態に係る施術用頭部支持装置を図面に基づいて説明する。図１２は、第３の実施の形態に係る施術用頭部支持装置の使用状態を示す斜視図である。図１２において、４９ａ、４９ｂ、４９ｃ及び４９ｄは連結部構成体、８６は支持アーム、８６ａは基端部、８６ｂは先端部、８７は支持アーム、８７ａは基端部、８７ｂは先端部、８８は支持アーム、８８ａは基端部、８８ｂは先端部、８９は支持アーム、８９ａは基端部、８９ｂは先端部であり、その他の符号は図１と同じものを示す。なお、この実施の形態に係る施術用頭部支持装置において、第１の実施の形態に係る施術用頭部支持装置と同一の構成となる部分については説明を省略する。
【００５３】
この実施の形態に係る施術用頭部支持装置１０は、被施術者８０の頭部８１を上方にある弾性体によって吊り下げているが、一般的なつるまきばねではなく、ねじりばねが支持アームを上方に跳ね上げる付勢力を利用していることが特徴的な構成となっている。第４の実施の形態に係る施術用頭部支持装置１０では、支持アーム８６及び８８は基端部８６ａ及び８８ａにおいて昇降支柱４１に接続されており、支持アーム８７及び８９は、基端部８７ａ及び８９ａにおいて昇降支柱４２に接続されている。また、これらの支持アームの基端部８６ａ、８７ａ、８８ａ及び８９ａは、被施術者８０が頭部８１側に回転可能となるような図示していない軸受が昇降支柱４１及び４２との間にそれぞれ介在している。さらに、内部に図示していないねじりばねがそれぞれ設けられており、これらの支持アームの先端部８６ｂ、８７ｂ、８８ｂ及び８９ｂが上方に跳ね上がるように付勢している。なお、ここでは特に図示しないが、被施術者８０が頭部８１を下部連続支持帯１１及び上部連続支持帯１２に載せていないときには、先端部８６ｂ、８７ｂ、８８ｂ及び８９ｂは図１２に示した状態よりも上方に跳ね上がる。さらに、先端部８６ｂ、８７ｂ、８８ｂ及び８９ｂにはそれぞれ開口部が形成されており、右側支持部１１ａ、左側支持部１１ｂ、右側支持部１２ａ及び左側支持部１２ｂをこれらの開口部に通して下部連続支持帯１１及び上部連続支持帯１２が支持されるようにしている。
【００５４】
したがって、被施術者８０が頭部８１を下部連続支持帯１１及び上部連続支持帯１２に載せると、頭部８１と頸部の一部の重量によって、支持アーム８６、８７、８８及び８９は、先端部８６ｂ、８７ｂ、８８ｂ及び８９ｂが下がるように回転するが、ねじりばねの付勢力によってこの重量と釣り合う位置で回転が停止する。この状態において、被施術者８０は、頭部８１に空中に浮いているような浮遊感を得ることができる。くわえて、この実施の形態では、支持脚４３の連結部を連結部構成体４９ａ、４９ｂ、４９ｃ及び４９ｄによって構成している。連結部構成体４９ｂ及び４９ｃは、互いに回転可能に接続され、さらに連結部構成体４９ａ及び４９ｄに対しても回転可能に接続されている。したがって、昇降支持柱４４と昇降支持柱４５との感覚を調整することができ、右側支持部１１ａ及び右側支持部１２ａと、左側支持部１１ｂ及び左側支持部１２ｂとの感覚を被施術者８０の頭部８１の幅に的確に合わせることができる。また、連結部構成体４９ａ、４９ｂ、４９ｃ及び４９ｄを折りたたむことによって、施術用頭部支持装置１０の運搬が容易になる利点もある。
【００５５】
以上のように、第１、第２、第３及び第４の実施の形態に係る施術用頭部支持装置１０は、弾性体によって被施術者８０が頭部８１にフワフワと空中に浮いているような浮遊感に似た感覚を得る。このような感覚を得ると、被施術者８０は、ごく短時間のうちにリラックスでき、頭部を左右いずれかに傾けるなどの被施術者の癖にも対応するので、被施術者の頭部を支える筋肉が十分に弛緩した状態となる。したがって、施術者は、カイロプラクティックや、マッサージ、整体などの施術を頸椎の歪みや、頭部を支える筋肉の拘縮などを和らげるための手技に直ちに集中することができ、その効果も増大する。また、被施術者の頸部等にボキボキ音がするほど強い力を加える必要が全く無くなるので、このテクニックを用いることによる被施術者８０への悪影響もなくなる。さらに、枕と同じ作用を持っているので、施術の前後など施術をしていないときには枕として使用することができる。また、施術前に被施術者の頭部を支える筋肉が十分に弛緩した状態となるので、温熱療法など手技でない施術を行う場合においても効果が増大する。
【００５６】
以上、本発明の３つの実施の形態について説明したが、本発明は、上述した実施の形態に限定されるものではなく、本発明の要旨を逸脱しない範囲内で様々な変形や応用が可能である。例えば、各構成品の材料は、それぞれの構成品の作用効果の発揮に好ましくない影響がなければ、記載した材料以外のものに変更可能である。また、スプリングなどの弾性体の形状や配置などは、被施術者８０が頭部８１にフワフワと空中に浮いているような浮遊感を得られる範囲において適宜変更することが可能である。また、弾性体として、板バネ、空気バネやバルーンなども用いることができる。さらに、下部連続支持帯１１、上部連続支持帯１２及び連結帯１３の幅や形状も被施術者８０が頭部８１を支持可能であれば適宜変更できる。また、各種の変形例や３つの実施の形態における各種の構成は、本発明の要旨を逸脱しない範囲において適宜組み合わせることができる。
【符号の説明】
【００５７】
１０    施術用頭部支持装置
１１    下部連続支持帯
１１ａ  右側支持部
１１ｂ  左側支持部
１２    上部連続支持帯
１２ａ  右側支持部
１２ｂ  左側支持部
１３    連結帯
１３ａ  筒状部
１３ｂ  筒状部
１４    バックル
１５    バックル
１６    バックル
１７    バックル
１８    接続具
１９    接続具
２０    接続具
２１    接続具
２２    リング
２３    リング
２４    リング
２５    リング
２６    ナス環
２７    ナス環
２８    ナス環
２９    ナス環
３０    スプリング
３１    スプリング
３２    スプリング
３３    スプリング
３４    シャックル
３５    シャックル
３６    シャックル
３７    シャックル
３８    腕木
３８ａ  下部腕部
３８ｂ  上部腕部
３９    腕木
３９ａ  下部腕部
３９ｂ  上部腕部
３９ｃ  開口部
３９ｄ  開口部
４０    架設材
４１    昇降支柱
４２    昇降支柱
４３    支持脚
４４    昇降支持柱
４５    昇降支持柱
４６    操作部
４７    脚部
４８    脚部
４９    連結部
４９ａ  連結部構成体
４９ｂ  連結部構成体
４９ｃ  連結部構成体
４９ｄ  連結部構成体
５０    キャスタ
５１    キャスタ
５２    キャスタ
５３    キャスタ
５４    連結帯
５５ａ  面ファスナ
５５ｂ  面ファスナ
５５ｃ  面ファスナ
５５ｄ  面ファスナ
５６ａ  支持帯
５６ｂ  支持帯
５６ｃ  支持帯
５６ｄ  支持帯
５７ａ  連結帯
５７ｂ  連結帯
５７ｃ  連結帯
５７ｄ  連結帯
５８ａ  ハトメ
５８ｂ  ハトメ
５８ｃ  ハトメ
５８ｄ  ハトメ
５９    腕木
５９ａ  腕木
５９ｂ  腕木
６０    ストッパねじ
６０ａ  ストッパねじ
６０ｂ  ストッパねじ
６１    ゴムバンド
６２    ゴムバンド
６３    支持板
６３ａ  開口部
６４    支持板
６４ａ  開口部
６５    支持帯固定具
６６    支持帯固定具
６７    支持帯固定具
６８    支持帯固定具
６９    伸縮支柱
７０    伸縮支柱
７１    伸縮支柱
７２    伸縮支柱
７３    支持台
７４    支持台
７５    支持台
７６    支持台
７７    蓋部
７８    蓋部
７９    施術者の位置
８０    被施術者
８１    頭部
８２    耳介
８３    耳介
８４    上部頸椎近傍部分
８５    施術台
８６    支持アーム
８６ａ  基端部
８６ｂ  先端部
８７    支持アーム
８７ａ  基端部
８７ｂ  先端部
８８    支持アーム
８８ａ  基端部
８８ｂ  先端部
８９    支持アーム
８９ａ  基端部
８９ｂ  先端部
９０    上半身受け用クッションマット
９１    中肉部
９２    厚肉部
９３    薄肉部
９４    溝
９５    厚み調整用クッション材
９６    厚み調整用クッション材
９７    厚み調整用クッション材
９８    被施術者
９９    頭部
【図１】
0005361812.tif 000002
【図２】
0005361812.tif 000003
【図３】
0005361812.tif 000004
【図４】
0005361812.tif 000005
【図５】
0005361812.tif 000006
【図６】
0005361812.tif 000007
【図７】
0005361812.tif 000008
【図８】
0005361812.tif 000009
【図９】
0005361812.tif 000010
【図１０】
0005361812.tif 000011
【図１１】
0005361812.tif 000012
【図１２】
0005361812.tif 000013
【図１３】
0005361812.tif 000014